【事件の表示】
　特願２０００−１０８９２７号「効果制御スイッチ装置」拒絶査定不服審判事件〔平成１３年１０月２６日出願公開、特開２００１−２９７６４６号〕について、次のとおり審決する。
【結　論】
　本件審判の請求は、成り立たない。
【理　由】
１．手続の経緯
　
　本願は、平成１２年４月１１日の出願であって、平成１６年６月７日付けで拒絶理由が通知され、同年８月１６日に意見書が提出されるとともに手続補正がなされ、平成１７年２月２１日付けで拒絶査定がなされた。
　請求人（出願人）は、これに対して、平成１７年３月３１日に本件拒絶査定不服審判を請求するとともに、同年５月２日に手続補正（前置補正）をした。
　その後、当審において、平成１９年６月１５日付けで、平成１７年５月２日付けの手続補正（前置補正）の却下の決定がなされるとともに拒絶理由が通知され、これに対して平成１９年８月２０日に意見書が提出されるとともに手続補正がなされたものである。
　
　
２．本願発明
　
　本願の請求項１〜３に係る発明は、平成１９年８月２０日付け手続補正書により補正された明細書の特許請求の範囲の請求項１〜３に記載された事項によって特定されるものと認められるところ、そのうち、請求項１に係る発明（以下「本願発明」という。）は、以下のとおりである。
　
「【請求項１】　演奏楽音に対する効果の付与制御を手動で設定する効果制御スイッチ装置であって、
　手動にて操作している間にオン側に位置し、放すとオフ側に位置する自動復帰型スイッチ構造をとった第１スイッチと、
　手動にて操作している間にオン側に位置する第２スイッチとを有し、
　前記第１スイッチがオン側に操作されている間、該第１スイッチに割り付けられた効果がオンになるとともに、
　前記第１スイッチがオン側に操作されている間に前記第２スイッチが操作されたとき、該第１スイッチに割り付けられた効果を該第１スイッチがオフ側に位置する状態でも保持するように構成され、
　前記第１スイッチ及び前記第２スイッチの一方がレバー式で他方がボタン式であることを特徴とする効果制御スイッチ装置。」
　
　
３．引用文献の発明
　
　これに対して、当審の拒絶の理由に引用された、本願の出願前に頒布された特開平７−１３５６４公報（以下「引用文献１」という。）には、図面とともに、次の（ア）〜（カ）の事項が記載されている。
　
（ア）「【要約】
【目的】　所望のピッチシフト量を正確に保持したり、所望の時点からリアルタイムにピッチシフトを行うことができ、演奏上の効果を向上させることが可能なピッチシフト操作子を備えた電子楽器を提供する。
【構成】　パネルスイッチ（ピッチシフト操作子）１は、アップスイッチ２１1およびダウンスイッチ２１2と、ホールドスイッチ２２1およびリトリガスイッチ２２2とにより主として構成され、リトリガスイッチ２２2が押されてリトリガモードが選択された場合には、アップスイッチ２１1またはダウンスイッチ２１2が押されると、このときに楽音が発音されていれば、スイッチ２１1，２１2が押された時点からピッチが上または下にシフトされる。また、ホールドスイッチ２２1が押されてホールドモードが選択された場合には、スイッチ２１1，２１2が押されるとピッチがシフトされ、その後当該スイッチが解放されても、新たなピッチシフトスイッチ２１の入力があるまで前のピッチシフトの状態が保持される。」
　
（イ）「【０００４】
【発明が解決しようとする課題】しかしながら、上記従来のピッチシフト操作子、例えば前記ホイールにおいて、発生している楽音を所望のピッチにシフトした後にそのピッチシフト量を保持し続けるには、そのホイールの位置を手で固定しておかなければならず、ピッチシフトを行っているときにはホイールを操作する手を他の操作に使用することはできなかった。また、ピッチシフト量を保持しているときには、その手を少しでも動かすとピッチが変化するので、正確にピッチシフト量を保持し続けることは非常に困難であった。」
　
（ウ）「【００１７】同図において、本実施例に関連するスイッチのみが図示されているが、実際には、云うまでもなく、音色を変更したり各種装飾音を付加したりするためのスイッチも配設されている。同図のパネルスイッチ１は、ピッチシフトを行うピッチシフトスイッチ２１と、モードの変更を行うモードスイッチ２２とにより構成されている。ピッチシフトスイッチ２１は、所定幅のアップ方向およびダウン方向のピッチシフトをそれぞれ行うアップスイッチ２１1およびダウンスイッチ２１2と、所定幅のピッチの範囲内で連続的にピッチシフトを行うためのホイール２１3とにより構成されている。
【００１８】また、モードスイッチ２２は、ホールドスイッチ２２1と、リトリガスイッチ２２2とにより構成されている。ここで、ホールドスイッチ２２1は、ホールドモード、即ち、ピッチシフトスイッチ２１によりピッチシフトを行ったときに、そのピッチシフト量を保持するモードを選択するスイッチであり、リトリガスイッチ２２2は、リトリガモード、即ち、ピッチシフトを行ったときに、そのピッチシフトを現在発音中の楽音から行うモードを選択するスイッチである。
【００１９】さらに、アップスイッチ２１1、ダウンスイッチ２１2、ホールドスイッチ２２1およびリトリガスイッチ２２2の上部には、それぞれＬＥＤ２３が配設され、各スイッチが押下され、各スイッチに対応する制御動作が実行されているときに、対応する各ＬＥＤ２３が点灯する。」
　
（エ）「【００３３】まず、ステップＳ４１で、図２のアップスイッチ２１1のオンイベントがあるか否かを判別し、オンイベントがあるときにはステップＳ４２に進み、アップフラグＵＰＦを反転させる。」
　
（オ）「【００３８】以上のようにして、本ピッチシフト処理によれば、アップスイッチ２１1またはダウンスイッチ２１2のオンイベントのみを判別しているので、スイッチ２１1，２１2が放されても、ピッチシフト動作を保持し続けることができる。また、ピッチシフト動作が保持されているときに、新たにスイッチ２１1，２１2が押された場合には、ピッチシフト動作が解除される。」
　
（カ）「【００４２】以上のようにして、本ピッチシフト処理によれば、アップスイッチ２１1またはダウンスイッチ２１2のオン／オフイベントを判別しているので、スイッチ２１1，２１2が押されている間のみピッチシフト動作が行われる。」
　
　上記記載事項（ア）の記載から、パネルスイッチ（ピッチシフト操作子）１は、アップスイッチ２１1が押されると、このときに楽音が発音されていれば、ピッチがシフトされて、演奏上の効果を向上させるものであり、また、上記記載事項（イ）の記載から、ピッチシフト操作子は手で動かされるものであるから、パネルスイッチ（ピッチシフト操作子）１は、演奏楽音に対する効果の付与制御を手動で設定するものである。
　上記記載事項（ア）、（ウ）、（オ）の記載から、パネルスイッチ（ピッチシフト操作子）１のアップスイッチ２１1は、押下される場合と、放される場合とを有するものであり、上記記載事（エ）、（オ）、（カ）から、アップスイッチ２１1は、オン／オフイベントをなすものであり、また、上記記載事項（イ）の記載から、ピッチシフト操作子は手で動かされるものであるといえるので、アップスイッチ２１1は、手動にて操作している間にオン側に位置し、放すとオフ側に位置する自動復帰型スイッチ構造をとったものである。
　そして、上記のとおり、パネルスイッチ（ピッチシフト操作子）１は、アップスイッチ２１1が押されるとピッチがシフトされ、演奏上の効果を向上させるものであり、記載事項（エ）、（オ）、（カ）に記載の動作を参酌すると、パネルスイッチ（ピッチシフト操作子）１は、アップスイッチ２１1がオン側に操作されている間、該アップスイッチ２１1に割り付けられた効果がオンになるものである。
　上記記載事項（ア）の記載から、パネルスイッチ（ピッチシフト操作子）１のホールドスイッチ２２1が押されるとホールドモードが選択され、また、上記記載事項（イ）の記載から、ピッチシフト操作子は手で動かされるものであるから、ホールドスイッチ２２1は、手動にて操作している間にホールドモードが選択される側に位置するものである。
　上記記載事項（ア）、（オ）の記載から、パネルスイッチ（ピッチシフト操作子）１は、ホールドスイッチ２２1が押されてホールドモードが選択された場合には、アップスイッチ２１1が押されると、ピッチがシフトされ、その後当該スイッチが解放されても、ピッチシフトの状態が保持され、演奏上の効果を向上させるものであるから、パネルスイッチ（ピッチシフト操作子）１は、アップスイッチ２１1がオン側に操作される前にホールドスイッチ２１1が操作されたとき、アップスイッチ２１1に割り付けられた効果をアップスイッチ２１1がオフ側に位置する状態でも保持するものである。
　上記記載事項（ア）の記載から、アップスイッチ２１1およびホールドスイッチ２２1は押下されるものである。
　
　これら記載事項及び図面の図示内容を総合すると、引用文献１には、
「演奏楽音に対する効果の付与制御を手動で設定するパネルスイッチ（ピッチシフト操作子）１であって、
　手動にて操作している間にオン側に位置し、放すとオフ側に位置する自動復帰型スイッチ構造をとったアップスイッチ２１1と、
　手動にて操作している間にホールドモードが選択される側に位置するホールドスイッチ２２1とを有し、
　アップスイッチ２１1がオン側に操作されている間、該アップスイッチ２１1に割り付けられた効果がオンになるとともに、
　アップスイッチ２１1がオン側に操作される前にホールドスイッチ２１1が操作されたとき、アップスイッチ２１1に割り付けられた効果をアップスイッチ２１1がオフ側に位置する状態でも保持するように構成され、
　前記アップスイッチ２１1及び前記ホールドスイッチ２２1の両方が押下されるものである、
パネルスイッチ（ピッチシフト操作子）１。」の発明が記載されていると認める。
　
　
　また、本願の出願前に頒布された特開平１１−２８２４７０号公報（以下「引用文献２」という。）には、電子楽器に関して、図面とともに、次の事項が記載されている。
　
（キ）「【００１７】また、操作パネル２０には、スタート位置指定操作子２０ａ、ループ・スタート位置指定操作子２０ｂ、エンド位置指定操作子２０ｃ、ループ／ワン・ショット指定操作子２０ｄ、図１上において数字１〜１６により示す１６個のパッド２０ｅ（なお、パッド２０ｅは、図１上における数字１〜１６に対応してパッド番号１〜１６がふられて管理されている。）、バンク切り換え操作子２０ｆ、ホールド操作子２０ｇおよびその他の操作子２０ｈが設けられている。
【００１８】ここで、パッド２０ｅは、押しボタン・スイッチであり、その操作に応じてその、操作されたパッド２０ｅに予め割り当てられている波形データの再生開始を指示するものである。」
　
（ク）「【００２５】また、ホールド操作子２０ｇならびにホールド・ペダル２２は、ループ読み出しが指定されている波形データに関してパッド２０ｅの操作が止められたときにも、当該パッド２０ｅを操作し続けているのと同様な状態を実現するための操作子である。」
　
（ケ）「【００９２】一方、ステップＳＳ８０４において、操作中（押下中）のパッド２０ｅに割り当てられている波形データが、ループ読み出しであると判断された場合には、ステップＳ８０６へ進み、そのパッド２０ｅの波形データを再生中の再生チャンネルｃｈに関して、「ｈｏｌｄ（ｃｈ）＝１」と設定して、このホールド・オン処理を終了する。即ち、ループ読み出しの波形データの再生を指示するパッド２０ｅを操作（押下）しながらホールド操作子２０ｇあるいはホールド・ペダル２２を操作したときには、その波形データの再生を行っている再生チャンネルがホールド状態とされ、そのパッド２０ｅの操作を止めても（押下解除しても）波形データの再生が続行されるようになる。」
　
（コ）「【００９５】ステップＳ８０８の処理を終了すると、ステップＳ８１０へ進み、「ｈｏｌｄ（ｃｈ）＝０」と設定し、このホールド・オン処理を終了する。即ち、いずれのパッド２０ｅも操作されずにホールド操作子２０ｇあるいはホールド・ペダル２２が操作されたときには、ホールド状態とされていた再生チャンネルに関してホールド状態を解除し、その再生チャンネルでの波形データの再生を停止することになる。」
　
　上記記載事項（キ）〜（ケ）の記載から、パッド２０ｅは、押しボタン・スイッチであり、操作パネル２０は、パッド２０ｅを操作（押下）しながらホールド操作子２０ｇを操作したときには、そのパッド２０ｅに割り当てられている波形データの再生を、そのパッド２０ｅの操作を止めても（押下解除しても）続行されるようにしたものである。
　
　これら記載事項によると、引用文献２には、「押しボタン・スイッチが操作側に操作されている間にホールド操作子２０ｇが操作されたとき、該押しボタン・スイッチに割り付けられた機能を該押しボタン・スイッチが解除側に位置する状態でも保持するようにした操作パネル２０。」の発明が記載されていると認める。
　
　
４．本願発明と引用文献１に記載された発明との対比
　
　本願発明と引用文献１に記載された発明とを対比する。
　
　引用文献１に記載された発明の「アップスイッチ２１1」、「ホールドスイッチ２２1」及び「パネルスイッチ（ピッチシフト操作子）１」は、その作用からみて、それぞれ、本願発明の「第１スイッチ」、「第２スイッチ」及び「効果制御スイッチ装置」に相当し、引用文献１に記載された発明の「ホールドモードが選択される側」は、「操作側」であるという点で、本願発明の「オン側」と共通する。
　それゆえ、本願発明と引用文献１に記載された発明とは、「演奏楽音に対する効果の付与制御を手動で設定する効果制御スイッチ装置であって、
　手動にて操作している間にオン側に位置し、放すとオフ側に位置する自動復帰型スイッチ構造をとった第１スイッチと、
　手動にて操作している間に操作側に位置する第２スイッチとを有し、
　前記第１スイッチがオン側に操作されている間、該第１スイッチに割り付けられた効果がオンになるとともに、
　前記第２スイッチが操作されたとき、該第１スイッチに割り付けられた効果を該第１スイッチがオフ側に位置する状態でも保持するように構成された、
効果制御スイッチ装置。」の点で一致し、以下の＜相違点＞で相違しているものと認める。
　
 ＜相違点＞
（１）第２スイッチの操作側に関し、本願発明では、「オン側」であるのに対し、引用文献１に記載された発明では、オン側であるのか否かが明確ではない点。
　
（２）本願発明が、「前記第１スイッチがオン側に操作されている間に」前記第２スイッチが操作されたとき、効果を保持するのに対し、引用文献１に記載された発明は、「第１スイッチがオン側に操作される前に」第２スイッチが操作されたときに、効果を保持する点。
　
（３）本願発明では、「前記第１スイッチ及び前記第２スイッチの一方がレバー式で他方がボタン式である」のに対し、引用文献１に記載された発明では、アップスイッチ２１1及びホールドスイッチ２２1の両方とも押下されるものである点。
　
　
５．相違点の検討
　
（１）相違点（１）について
　手動にて操作している間、「オン側」に位置するスイッチは、例示するまでもなく、従来周知の技術である。そして、スイッチを手動にて操作している間に位置する操作側を、「オン側」にすることによって、格別な効果を奏するものとは認められない。
　よって、引用文献１に記載された発明の効果制御スイッチ装置において、上記従来周知の技術を参酌することにより、上記相違点（１）に係る本願発明の発明特定事項とすることは、当業者が容易に想到し得たものと認める。
　
（２）相違点（２）について
　引用文献２に記載された発明の「押しボタン・スイッチ」及び「操作パネル２０」は、それぞれ本願発明の「第１スイッチ」及び「制御スイッチ装置」に相当し、引用文献２に記載された発明の「ホールド操作子２０ｇ」は、「操作部材」という点で、本願発明１の「第２スイッチ」と共通する。
　それゆえ、引用文献２に記載の発明と本願発明とは、「第１スイッチが操作側に操作されている間に操作部材が操作されたとき、該第１スイッチに割り付けられた機能を該第１スイッチが解除側に位置する状態でも保持するようにした制御スイッチ装置。」で一致している。
　そして、引用文献１に記載された発明と引用文献２に記載された発明とは、共に電子楽器に関する制御スイッチ装置であって、第１スイッチに割り付けられた機能を該第１スイッチが解除側に位置する状態でも保持するという機能も共通するので、引用文献１に記載された発明の効果制御スイッチの第２スイッチを操作するタイミングとして、引用文献２に記載された発明の構成を適用して、相違点（２）に係る本願発明の発明特定事項とすることは、当業者が容易になし得ることである。
　
（３）相違点（３）について
　異なる作用効果が割り付けられたスイッチ等の２つの操作部材に関して、その一方がレバー式で他方がボタン式とすることは、特開平１１−６４９４６号公報（段落【００１４】，【００３０】，【００３１】，図１，９）、特開平５−５４３０６号公報（段落【０００５】〜【０００９】，図１〜４）や特開平５−７４２７７号公報（段落【０００８】〜【００１５】，図１〜３）等に記載されており、従来周知の技術である。そして、引用文献１に記載された発明のスイッチに、上記従来周知の技術を採用することを妨げる技術的事項も見あたらない以上、上記従来周知の技術を採用して、相違点（３）に係る本願発明の発明特定事項とすることは、当業者が容易になし得ることである。
　また、上記従来周知の技術において、その作用効果が、スイッチ操作の違いを把握しやすくし、誤操作を起こし難くしたことであることは、上記特開平１１−６４９４６号公報（段落【００１２】，【００２４】，【００３５】）や上記特開平５−５４３０６号公報（段落【００１４】）、上記特開平５−７４２７７号公報（段落【００２２】）に記載されているので、相違点（３）に係る発明特定事項が奏する作用効果は、上記従来周知の技術から当業者が予測できる範囲内のものである。
　
　そして、本願発明が奏する作用効果は、上記引用文献１及び２に記載された発明並びに従来周知の技術から当業者が予測できる範囲内のものである。
　
　したがって、本願発明は、上記引用文献１及び２に記載された発明並びに従来周知の技術に基づいて当業者が容易に発明をすることができたものである。
　
　
６．むすび
　
　以上のとおり、本願発明については、特許法第２９条第２項の規定により特許を受けることができない。
　
　そして、このような特許を受けることができない発明を包含する本願は、本願の他の請求項に係る発明について検討するまでもなく、拒絶されるべきものである。
　
　よって、結論のとおり審決する。